(57)【要約】  複数のセルでマルチメディアブロードキャスト／マルチキャストサービス（ＭＢＭＳ）を提供する無線プロトコルエンティティ共用装置及び方法が開示される。異なるセルは同一チャネルパラメータ値（ＣＰＶ識別子）と同一プロトコルパラメータ値（ＣＰＶ情報）を用いるために第２層プロトコルエンティティ（ＭＡＣ、ＲＬＣ、ＰＤＣＰ）を共用して、ハンドオーバーの場合無線ベアラーの再設定による遅延を減少させ、ハンドオーバーの間のデータ損失を最小化し、ネットワークリソースを保存し、ソフト結合を通じて受信性能を強化する。本発明はＵＥで第１パラメータ値及び第１パラメータインジケータを受信するステップ（Ｓ６０１）と、第１パラメータ値及び第１パラメータインジケータを用いてチャネルを設定しＭＢＭＳデータを受信するステップ（Ｓ６０２）と、ＵＥで第２パラメータ値インジケータを受信するステップ（Ｓ６０４）と、第１パラメータ値インジケータが第２パラメータ値インジケータと同一の場合、設定されたチャネルを維持するステップ（Ｓ６０６）とを含む。前記第１と第２パラメータ値インジケータが異なると、チャネルは受信した第２パラメータ値を用いて再設定される（Ｓ６０７）。【選択図】図６
2007503155.tif 000002
【特許請求の範囲】
【請求項１】
無線アクセスネットワークで少なくとも一つ以上の端末とアップリンク及びダウンリンク通信が可能なセルで構成されるセルグループにポイントツーマルチポイントサービスを提供するために無線プロトコルエンティティを設定するステップと、
前記無線プロトコルエンティティを通じて前記セルグループに前記ポイントツーマルチポイントサービスのためのデータを提供するステップと、
を含むことを特徴とするセルラーシステムにおけるポイントツーマルチポイントサービス提供方法。
【請求項２】
前記セルグループは一つの無線ネットワークシステムに含まれることを特徴とする請求項１に記載のセルラーシステムにおけるポイントツーマルチポイントサービス提供方法。
【請求項３】
前記無線アクセスネットワークは少なくとも一つ以上の無線ネットワークシステムを含むことを特徴とする請求項２に記載のセルラーシステムにおけるポイントツーマルチポイントサービス提供方法。
【請求項４】
前記無線プロトコルエンティティはメディアアクセス制御（ＭＡＣ）エンティティ、無線リンク制御（ＲＬＣ）エンティティ、パケットデータ集束プロトコル（ＰＤＣＰ）エンティティのうち、少なくとも一つ以上を含むことを特徴とする請求項１に記載のセルラーシステムにおけるポイントツーマルチポイントサービス提供方法。
【請求項５】
前記セルグループに属する少なくとも一つ以上の端末が前記ポイントツーマルチポイントサービスを受信するために必要である、前記セルグループに対しては同一であるパラメータインジケータと、そのパラメータインジケータに関連する無線プロトコルパラメータとを前記セルグループに伝送するステップをさらに含むことを特徴とする請求項１に記載のセルラーシステムにおけるポイントツーマルチポイントサービス提供方法。
【請求項６】
前記セルグループに属する少なくとも一つ以上の端末が前記ポイントツーマルチポイントサービスを受信するために必要である、前記セルグループに対しては同一のパラメータインジケータを前記セルグループに伝送するステップを更に含むことを特徴とする請求項１に記載のセルラーシステムにおけるポイントツーマルチポイントサービス提供方法。
【請求項７】
前記無線プロトコルエンティティは共通トラフィックチャネルを介して前記ポイントツーマルチポイントサービスを提供することを特徴とする請求項１に記載のセルラーシステムにおけるポイントツーマルチポイントサービス提供方法。
【請求項８】
前記パラメータインジケータは共通制御チャネルを介して伝送されることを特徴とする請求項５に記載のセルラーシステムにおけるポイントツーマルチポイントサービス提供方法。
【請求項９】
前記共通制御チャネルはブロードキャスト制御チャネル（ＢＣＣＨ）であることを特徴とする請求項８に記載のセルラーシステムにおけるポイントツーマルチポイントサービス提供方法。
【請求項１０】
前記共通制御チャネルはマルチメディアブロードキャストマルチキャスト制御チャネル（ＭＣＣＨ）であることを特徴とする請求項８に記載のセルラーシステムにおけるポイントツーマルチポイントサービス提供方法。
【請求項１１】
第１パラメータインジケータとその第１パラメータインジケータに関連した第１無線プロトコルパラメータを受信するステップと、
前記受信した第１無線プロトコルパラメータにしたがってポイントツーマルチポイントサービスを受信するための無線プロトコルを端末で設定するステップと、
前記ポイントツーマルチポイントサービスを受信するために必要な第２パラメータインジケータを受信するステップと、
前記第１と第２パラメータインジケータが同一の場合、前記第２パラメータインジケータに関連した第２無線プロトコルパラメータを受信せずに前記ポイントツーマルチポイントサービスを引き続いて受信するステップと、
を含むことを特徴とするポイントツーマルチポイントサービス受信方法。
【請求項１２】
前記第１と第２パラメータインジケータが同一でない場合、前記第２無線プロトコルパラメータを受信するステップと、
前記ポイントツーマルチポイントサービスを受信するために、前記受信した第２無線プロトコルパラメータにしたがって前記無線プロトコルエンティティを再設定するステップと、
を更に含むことを特徴とする請求項１１に記載のポイントツーマルチポイントサービス受信方法。
【請求項１３】
前記第１と第２パラメータインジケータは同一のセル内で受信されることを特徴とする請求項１１に記載のポイントツーマルチポイントサービス受信方法。
【請求項１４】
前記第１パラメータインジケータは第１セルで受信され、前記第２パラメータインジケータは第２セルで受信されることを特徴とする請求項１１に記載のポイントツーマルチポイントサービス受信方法。
【請求項１５】
前記第１と第２パラメータインジケータの各々は前記無線プロトコルエンティティを共用するセルグループを識別することを特徴とする請求項１１に記載のポイントツーマルチポイントサービス受信方法。
【請求項１６】
前記無線プロトコルエンティティは共通トラフィックチャネルを介して前記ポイントツーマルチポイントサービスを受信することを特徴とする請求項１１に記載のポイントツーマルチポイントサービス受信方法。
【請求項１７】
前記無線プロトコルエンティティはメディアアクセス制御（ＭＡＣ）エンティティ、無線リンク制御（ＲＬＣ）エンティティ、パケットデータ集束プロトコル（ＰＤＣＰ）エンティティのうち、少なくとも一つ以上を含むことを特徴とする請求項１１に記載のポイントツーマルチポイントサービス受信方法。
【請求項１８】
前記第１と第２パラメータインジケータの各々は共通制御チャネルを介して伝送されることを特徴とする請求項１１に記載のポイントツーマルチポイントサービス受信方法。
【請求項１９】
前記共通制御チャネルはブロードキャスト制御チャネル（ＢＣＣＨ）であることを特徴とする請求項１８に記載のポイントツーマルチポイントサービス受信方法。
【請求項２０】
前記共通制御チャネルはマルチメディアブロードキャストマルチキャスト制御チャネル（ＭＣＣＨ）であることを特徴とする請求項１８に記載のポイントツーマルチポイントサービス受信方法。
【請求項２１】
セルラー移動通信システムであって、
少なくとも一つ以上の端末とアップリンク及びダウンリンク通信が可能なセルで構成されるセルグループにポイントツーマルチポイントサービスを提供するための無線プロトコルエンティティを設定する無線アクセスネットワークを含むことを特徴とするポイントツーマルチポイントサービス提供のための無線通信システム。
【請求項２２】
前記セルグループは一つの無線ネットワークシステムに含まれることを特徴とする請求項２１に記載のポイントツーマルチポイントサービス提供のための無線通信システム。
【請求項２３】
前記無線アクセスネットワークは少なくとも一つ以上の無線ネットワークシステムを含むことを特徴とする請求項２２に記載のポイントツーマルチポイントサービス提供のための無線通信システム。
【請求項２４】
前記無線プロトコルエンティティはメディアアクセス制御（ＭＡＣ）エンティティ、無線リンク制御（ＲＬＣ）エンティティ、パケットデータ集束プロトコル（ＰＤＣＰ）エンティティのうち、少なくとも一つ以上を含むことを特徴とする請求項２１に記載のポイントツーマルチポイントサービス提供のための無線通信システム。
【請求項２５】
前記無線アクセスネットワークは前記セルグループに属する少なくとも一つ以上の端末が前記ポイントツーマルチポイントサービスを受信するために必要である、前記セルグループに対しては同一のパラメータインジケータと、そのパラメータインジケータに関連ある無線プロトコルパラメータとを前記セルグループに伝送することを特徴とする請求項２１に記載のポイントツーマルチポイントサービス提供のための無線通信システム。
【請求項２６】
前記無線アクセスネットワークは前記セルグループに属する少なくとも一つ以上の端末が前記ポイントツーマルチポイントサービスを受信するために必要である、前記セルグループに対しては同一のパラメータインジケータを前記セルグループに伝送することを特徴とする請求項２１に記載のポイントツーマルチポイントサービス提供のための無線通信システム。
【請求項２７】
前記無線プロトコルエンティティは共通トラフィックチャネルを介して前記ポイントツーマルチポイントサービスを提供することを特徴とする請求項２１に記載のポイントツーマルチポイントサービス提供のための無線通信システム。
【請求項２８】
前記パラメータインジケータは共通制御チャネルを介して伝送されることを特徴とする請求項２５に記載のポイントツーマルチポイントサービス提供のための無線通信システム。
【請求項２９】
前記共通制御チャネルはブロードキャスト制御チャネル（ＢＣＣＨ）であることを特徴とする請求項２８に記載のポイントツーマルチポイントサービス提供のための無線通信システム。
【請求項３０】
前記共通制御チャネルはマルチメディアブロードキャストマルチキャスト制御チャネル（ＭＣＣＨ）であることを特徴とする請求項２８に記載のポイントツーマルチポイントサービス提供のための無線通信システム。
【請求項３１】
第１パラメータインジケータとその第１パラメータインジケータに関連した第１無線プロトコルパラメータを受信する手段と、
受信した前記第１無線プロトコルパラメータにしたがってポイントツーマルチポイントサービスを受信するための無線プロトコルを端末で設定する手段と、
前記ポイントツーマルチポイントサービスを受信するために必要な第２パラメータインジケータを受信する手段と、
前記第１と第２パラメータインジケータが同一の場合、前記第２パラメータインジケータに関連した第２無線プロトコルパラメータを受信せずに前記ポイントツーマルチポイントサービスを引き続いて受信する手段と、
を含むことを特徴とするポイントツーマルチポイントサービスを受信する端末。
【請求項３２】
前記第１と第２パラメータインジケータが同一でない場合、前記第２無線プロトコルパラメータを受信する手段と、
前記ポイントツーマルチポイントサービスを受信するための前記受信した第２無線プロトコルパラメータにしたがって前記無線プロトコルエンティティを再設定する手段と、
を更に含むことを特徴とする請求項３１に記載のポイントツーマルチポイントサービスを受信する端末。
【請求項３３】
前記第１と第２パラメータインジケータは同一のセル内で受信されることを特徴とする請求項３１に記載のポイントツーマルチポイントサービスを受信する端末。
【請求項３４】
前記第１パラメータインジケータは第１セルで受信され、前記第２パラメータインジケータは第２セルで受信されることを特徴とする請求項３１に記載のポイントツーマルチポイントサービスを受信する端末。
【請求項３５】
前記第１と第２パラメータインジケータの各々は前記無線プロトコルエンティティを共用するセルグループを識別することを特徴とする請求項３１に記載のポイントツーマルチポイントサービスを受信する端末。
【請求項３６】
前記無線プロトコルエンティティは共通トラフィックチャネルを介して前記ポイントツーマルチポイントサービスを受信することを特徴とする請求項３１に記載のポイントツーマルチポイントサービスを受信する端末。
【請求項３７】
前記無線プロトコルエンティティはメディアアクセス制御（ＭＡＣ）エンティティ、無線リンク制御（ＲＬＣ）エンティティ、パケットデータ集束プロトコル（ＰＤＣＰ）エンティティのうち、少なくとも一つ以上を含むことを特徴とする請求項３１に記載のポイントツーマルチポイントサービスを受信する端末。
【請求項３８】
前記第１と第２パラメータインジケータの各々は共通制御チャネルを介して伝送されることを特徴とする請求項３１に記載のポイントツーマルチポイントサービスを受信する端末。
【請求項３９】
前記共通制御チャネルはブロードキャスト制御チャネル（ＢＣＣＨ）であることを特徴とする請求項３８に記載のポイントツーマルチポイントサービスを受信する端末。
【請求項４０】
前記共通制御チャネルはマルチメディアブロードキャストマルチキャスト制御チャネル（ＭＣＣＨ）であることを特徴とする請求項３８に記載のポイントツーマルチポイントサービスを受信する端末。
【発明の詳細な説明】
【技術分野】
【０００１】
本発明は、汎用移動体通信システム（ＵＭＴＳ：Universal Mobile Telecommunications System）のような無線通信システムにユーザサービスを提供することに関し、より詳しくは、一つ以上の共用無線プロトコルエンティティを利用することにより複数のセルにマルチメディアブロードキャスト／マルチキャストサービス（ＭＢＭＳ）を提供することに関する。
【背景技術】
【０００２】
図１を参照すれば、一般的なＵＭＴＳネットワーク構造が示されている。ＵＭＴＳは移動体端末とも言及されるユーザ設備（ＵＥ）、ＵＴＲＡＮ（UTMS terrestrial radio access network）、コアネットワークを含む。ＵＴＲＡＮは各々が一つの無線ネットワーク制御器（ＲＮＣ）とそのＲＮＣにより管理される少なくとも一つの基地局（または、ノードＢ）を含む複数の無線ネットワークサブシステムを含む。ＲＮＣにより管理されるノードＢは、ＵＥの物理層から伝送されたアップリンク情報を受信し、ダウンリンクデータをＵＥに伝送し、したがって、ＵＥをＵＴＲＡＮに連結するアクセスポイントとして作用する。ＲＮＣは無線リソースの割当と管理を担当し、ノードＢをコアネットワークに連結するアクセスポイントとして作用する。特定のＵＥに対する無線リソースを管理するＲＮＣはサービングＲＮＣであり、一つのセル内の複数のＵＥに対する共通リソースを管理するＲＮＣは制御ＲＮＣである。ドリフトＲＮＣはＵＥが通信するサービングＲＮＣ以外の任意のＲＮＣである。ＲＮＣとコアネットワークとの間のインターフェースはｌｕインターフェースであり、サービングＲＮＣとドリフトＲＮＣとの間のインターフェースはｌｕｒインターフェースであり、ＲＮＣとノードＢとの間のインターフェースはｌｕｂインターフェースである。各インターフェースは搬送ベアラー（Bearer）を通じて制御情報またはデータ伝送サービスを提供する。例えば、ｌｕｂインターフェースに提供されたベアラーはｌｕｂ搬送ベアラーであり、ｌｕｂ搬送ベアラーはＲＮＣとノードＢとの間で制御情報とデータを伝送する。
【０００３】
図２は、ＵＥとＵＴＲＡＮとの間の無線インターフェースプロトコルのアーキテクチャを示す。図２を参照すれば、無線インターフェースプロトコルは、物理層（層１すなわちＬ１）、データリンク層（層２すなわちＬ２）、ネットワーク層（層３すなわちＬ３）を垂直方向に含む。無線インターフェースプロトコルはデータ情報を提供するためのユーザプレーン、制御信号（シグナルリング）を提供するための制御プレーンを水平方向に含む。ユーザプレーンは音声用ユーザトラフィックまたはインターネットプロトコル（ＩＰ）パケット伝送などを搬送する。制御プレーンはインターフェースまたはネットワーク内の呼出などのメンテナンス及び管理用制御情報を搬送する。プロトコル層は第１（Ｌ１）、第２（Ｌ２）、第３（Ｌ３）層を含み、これはオープンシステム相互接続参照モデルの３つの下位層である。
【０００４】
Ｌ１層は各種の無線搬送技術を用いて情報伝送サービスを上位層に提供する。Ｌ１層はトランスポートチャネルを介して上位層のメディアアクセス制御（ＭＡＣ）にリンクされる。データはＭＡＣと物理層との間にトランスポートチャネルを介して伝えられる。
【０００５】
ＭＡＣ層は無線リソースの割当と再割当のためのＭＡＣパラメータの再割当サービスを提供する。ＭＡＣ層は、論理チャネルを介して上位層としての無線リンク制御（ＲＬＣ）層に連結される。論理チャネルは、データタイプにしたがって、制御チャネルまたはトラフィックチャネルとして分類される。一般に、制御チャネルは制御プレーンの情報を伝送する時に使われて、トラフィックチャネルはユーザプレーンの情報を伝送するのに使われる。ＭＡＣ層は管理されるトランスポートチャネルのタイプによって分類される、ＭＡＣ−ｂサブ層、ＭＡＣ−ｄサブ層、ＭＡＣ−ｃ／ｓｈサブ層を含む。ＭＡＣ−ｂサブ層は、システム情報をブロードキャストする役割を果たすトランスポートチャネルであって、ブロードキャストチャネルを管理する。ＭＡＣ−ｃ／ｓｈサブ層は、他のＵＥ、フォワードアクセスチャネル（ＦＡＣＨ）、ダウンリンク共用チャネル（ＤＳＣＨ）と共用される共通トランスポートチャネルを管理する。ＭＡＣ−ｃ／ｓｈサブ層は、ＵＴＲＡＮ内の制御ＲＮＣに位置し、セル内の全てのＵＥと共通のチャネルを管理する。その結果、一つのＭＡＣ−ｃ／ｓｈサブ層は各セルに存在し、一つのＵＥは一つのＭＡＣ−ｃ／ｓｈサブ層を含む。ＭＡＣ−ｄサブ層は特定のＵＥに対する専用トランスポートチャネルであって、専用チャネル（ＤＣＨ）を管理する。その結果、ＵＴＲＡＮのＭＡＣ−ｄサブ層はサービングＲＮＣに位置し、各ＵＥは一つのＭＡＣ−ｄサブ層を備える。
【０００６】
本発明の方法に係るＭＢＭＳサービスを提供するために、ＭＢＭＳ機能はＭＡＣ−ｃ／ｓｈサブ層機能に付加されて、ＭＡＣ−ｃ／ｓｈ／ｍ層を生成する。ＵＴＲＡＮにはセル当たり一つのＭＡＣ−ｃ／ｓｈ／ｍ層とＵＥ当り一つのＭＡＣ−ｃ／ｓｈ／ｍ層がある。
【０００７】
ＲＬＣ層は、信頼性あるデータ伝送を支援し、さらに、上位層から伝えられ、ＲＬＣ層の処理能力に合せるために大きさが調節されるＲＬＣサービスデータユニットの分割と結合を実施するように動作する。ヘッダは、プロトコルデータユニットの形態でＭＡＣ層に伝えられる、調節されたＲＬＣサービスデータユニットに付加される。ＲＬＣバッファは上位層から伝えられるＲＬＣサービスデータユニットまたはＲＬＣプロトコルデータユニットを格納するためにＲＬＣ層に存在する。
【０００８】
ブロードキャスト／マルチキャスト制御（ＢＭＣ）層はＲＬＣ層の上に位置し、コアネットワークから伝えられたセルのブロードキャストメッセージをスケジューリングし、特定のセルまたはセル内でＵＥにブロードキャストするように動作する。
【０００９】
パケットデータ集束プロトコル（ＰＤＣＰ：packet data convergence protocl）層はＲＬＣ層の上に位置し、比較的小さな帯域幅を有する無線インターフェースを介して、ＩＰｖ４やＩＰｖ６のようなネットワークプロトコルを介して伝えられるデータを效率よく伝送するように動作する。したがって、ヘッダ圧縮で知らされたプロセスによって、ＰＤＣＰ層は、有線ネットワークで利用される不要な制御情報を除去して、ヘッダに本質的な情報のみが伝送のために含まれ、無線部の伝送効率を強化することになる。
【００１０】
Ｌ３層の一部である無線リソース制御（ＲＲＣ）層は制御プレーンでのみ定義される。無線ベアラーの設定、再構成、解除に関して、ＲＲＣ層は、トランスポートチャネルと物理チャネルを制御する。無線ベアラーは、ＵＥとＵＴＲＡＮとの間にデータ伝送に対して、所定のＱｏＳ（Quality of service）を保障する第２層によって提供されるサービスである。一般的に無線ベアラーの設定は、特定のサービスを提供するために必要なプロトコル層とチャネルの特性を規制し、それぞれのパラメータと動作方法を構成する。ＵＥは、ＵＥとＵＴＲＡＮのＲＲＣ層が互いに通信するとき、ＲＲＣメッセージの通信を可能にするためにＲＲＣ連結モードにおり、このような通信がない時にはＲＲＣアイドルモードにある。
【００１１】
ＭＢＭＳサービスはダウンリンクのＭＢＭＳ無線ベアラーのみを用いてストリーミングまたはバックグラウンドサービスを複数のＵＥに提供する。ＵＴＲＡＮまたはネットワークにおいて、ＭＢＭＳサービスはポイントツーマルチポイントまたはポイントツーポイントベアラーサービスを利用する。ポイントツーマルチポイントサービスは、一般的にネットワークから複数のＵＥにデータを伝送することを表す。ポイントツーポイントサービスは、ネットワークから指定されたＵＥにデータを伝送することを表す。
【００１２】
ＭＢＭＳブロードキャストモードにおいて、マルチメディアデータは、ブロードキャスト領域、即ちブロードキャストサービスが利用可能なドメイン内の全てのＵＥに伝送される。ＭＢＭＳマルチキャストモードにおいて、特定のＵＥグループ用マルチキャストデータはマルチキャスト領域、即ちマルチキャストサービスが利用可能なドメイン内に伝送される。ＭＢＭＳサービスは２つの論理チャネル、即ちＭＢＭＳ制御情報をＵＥに伝送するためのポイントツーマルチポイント・ダウンリンクチャネルであるＭＢＭＳ制御チャネル（ＭＣＣＨ）と、ＭＢＭＳをＵＥに伝送するためのポイントツーマルチポイント・ダウンリンクチャネルであるＭＢＭＳトラフィックチャネル（ＭＴＣＨ）の支援を要求する。一つのＭＣＣＨチャネルは各セル内に存在し、一つのＭＴＣＨチャネルは特定のセル内の各特定のＭＢＭＳに対して存在する。論理チャネルの全てはトランスポートチャネル（ＦＡＣＨ）と２次共通制御物理チャネル（Ｓ−ＣＣＰＣＨ）にマッピングされる。
【００１３】
図３は関連技術によるＭＴＣＨプロトコルアーキテクチャを図示し、ここでＲＮＣ構成の例は２つのノードＢを有し、一つは３つのセルを管理し、もう一つは一つのセルを管理するノードＢである。各セルは、ＵＴＲＡＮ側においてＭＴＣＨチャネル毎及びＭＢＭＳサービス毎に全てのＰＨＹエンティティ、ＲＬＣエンティティ、ＰＤＣＰエンティティに対する無線ベアラーパラメータを個別的に構成する。同一のプロトコルエンティティが同様にＵＥ側にも設定される（図示していない）。
【００１４】
しかしながら、従来の技術では、ネットワークは各セル毎に個別のプロトコルエンティティを独立に構成（及び、再構成）する。その結果、同一サービスを提供するにも関わらず、プロトコルエンティティが異なるように構成され、エンティティ関連パラメータ値が異なるセルに存在する異なるプロトコルエンティティによって独立に、かつ、別々設定され、同一サービスを提供するプロトコルエンティティは独立に管理され、制御される。その結果、ＵＥは異なるセルに移動する度に新たなプロトコルパラメータを再構成する必要がある。したがって、新たな無線ベアラーが設定される前に、ＵＥが無線ベアラーを持たず、ＭＢＭＳデータを受信できない好ましくない遅延がある。したがって、新たなセルに移動する際、データ損失が起こる。さらに、ＵＥは様々なセルからの値がソフトハンドオーバーの間に結合されるソフト結合利得を達成できない。
【発明の開示】
【発明が解決しようとする課題】
【００１５】
これによって、本発明は従来の技術の制限及び短所に起因した一つ以上の問題を実質的に解消する無線プロトコルエンティティ共用装置及び方法を指向する。
【００１６】
本発明の一つの目的はＭＢＭＳサービスに無線プロトコルエンティティ共用方法を提供することである。複数のセルにより共用される少なくとも一つのプロトコルエンティティと共通関連パラメータ値が特定のＭＢＭＳサービスに対して使用され、ＵＥが他のセルに移動する時にベアラーの設定が容易になる。ハンドオーバーの間に起きるデータの損失が最小化され、ソフト結合利得がセル同士間で達成でき、特定のＭＢＭＳサービスに対して単一プロトコルエンティティと単一関連パラメータ値を用いてネットワークリソースの浪費が防止される。
【課題を解決するための手段】
【００１７】
本発明の付加的な特徴及び利点は次の説明に開示されて、部分的には次の説明から自明であり、または、本発明の教示により学習することができる。本発明の目的及び利点は開示された説明及び特許請求範囲と添付された図面で特別に指摘された構造により実現されて獲得される。
【００１８】
本発明のこれらの目的及び他の利点を達成するために、かつ本発明の目的によれば、以下に開示されたように、本発明はセルラーシステムでポイントツーマルチポイントサービスを提供する方法が開示される。本方法は、セルのグループ用ポイントツーマルチポイントサービスに対する無線アクセスネットワークに無線プロトコルエンティティを設定するステップと、同一の無線プロトコルエンティティによってポイントツーマルチポイントサービス用データをセルのグループに提供するステップとを含み、その際、各セルはアップリンク通信能力とダウンリンク通信能力を有する少なくとも一つの移動体端末として動作する。好ましくは、セルのグループは無線ネットワークシステムに属し、無線アクセスネットワークは少なくとも一つの無線ネットワークシステムを含む。無線プロトコルエンティティは少なくともＭＡＣ、ＲＬＣ、またはＰＤＣＰを含む。
【００１９】
本発明の一態様によれば、本方法はポイントツーマルチポイントサービスを受信するために、セルのグループの中の一つのセルの少なくとも一つの移動体端末に必要なパラメータインジケータに関連した無線プロトコルパラメータとそのパラメータのインジケータをセルのグループに伝送するステップを更に含み、このパラメータインジケータはセルのグループに対して同じである。
【００２０】
本発明の他の態様によれば、無線プロトコルエンティティは共通のトラフィックチャネルを介してポイントツーマルチポイントサービスを提供する。また、パラメータインジケータは、ブロードキャスト制御チャネル（ＢＣＣＨ）である共通制御チャネルを介して伝送される。好ましくは、共通制御チャネルはマルチメディアブロードキャストマルチキャストサービス制御チャネル（ＭＣＣＨ）である。
【００２１】
本発明の他の実施態様によれば、ポイントツーマルチポイントサービスを受信する方法が提供される。本方法は第１パラメータインジケータと、これと関連した第１無線プロトコルパラメータを受信するステップと、受信した第１無線プロトコルパラメータにしたがって、移動体端末において、ポイントツーマルチポイントサービスを受信するために無線プロトコルエンティティを設定するステップと、ポイントツーマルチポイントサービスを受信するのに必要な第２パラメータインジケータを受信するステップと、第１と第２パラメータインジケータが同一であれば第２パラメータインジケータに関連した第２無線プロトコルパラメータを受信せずにポイントツーマルチポイントサービスの受信を引き続くステップと、第１と第２パラメータインジケータが同一でなければ第２無線プロトコルパラメータを受信するステップと、ポイントツーマルチポイントサービスを受信するために受信した第２無線プロトコルパラメータにしたがって無線プロトコルエンティティを再設定するステップとを含む。
【００２２】
本発明の一態様によれば、第１パラメータインジケータと第２パラメータインジケータは同一セルで受信される。他の例では、第１パラメータインジケータが第１セルで受信され、第２パラメータインジケータが第２セルで受信される。
【００２３】
本発明の他の実施態様によれば、第１と第２パラメータインジケータの各々は無線プロトコルエンティティを共用するセルのグループを識別する。好ましくは、無線プロトコルエンティティはメディアアクセス制御エンティティ（ＭＡＣ）、無線リンク制御エンティティ（ＲＬＣ）またはパケットデータ集束プロトコルエンティティ（ＰＤＣＰ）を少なくとも含む。
【００２４】
本発明の他の実施態様によれば、セルラーシステムにおいてポイントツーマルチポイントサービスを提供するための無線通信システムは、セルのグループに対するポイントツーマルチポイントサービス用無線プロトコルエンティティを設定するためのＲＡＮまたはＵＴＲＡＮのような無線アクセスネットワークを含む。それぞれのセルは、同一無線プロトコルエンティティによってポイントツーマルチポイントサービス用データをセルのグループに提供する無線アクセスネットワークによって、アップリンク通信能力とダウンリンク通信能力とを備えた少なくとも一つの移動体端末にサービスすることができる。好ましくは、無線プロトコルエンティティは、メディアアクセス制御エンティティ（ＭＡＣ）、無線リンク制御エンティティ（ＲＬＣ）またはパケットデータ集束プロトコルエンティティ（ＰＤＣＰ）を少なくとも含む。無線プロトコルエンティティは、パラメータインジケータをセルのグループに送るとともに、ポイントツーマルチポイントサービスを受信するためにセルのグループ中の一つのセルの少なくとも一つの移動体端末に必要なパラメータインジケータに関連した無線プロトコルパラメータをセルのグループに伝送する。パラメータインジケータはセルのグループに対して同一である。
【００２５】
本発明の他の実施態様によれば、ポイントツーマルチポイントサービスを受信するための移動体端末は、第１パラメータインジケータとこれに関連した第１無線プロトコルパラメータを受信する手段と、受信した第１無線プロトコルパラメータにしたがってポイントツーマルチポイントサービスを受信するための無線プロトコルエンティティを移動体端末で設定する手段と、ポイントツーマルチポイントサービスを受信するのに必要な第２パラメータインジケータを受信する手段と、第１と第２パラメータインジケータが同一の場合、第２パラメータインジケータに関連した第２無線プロトコルパラメータを受信せずにポイントツーマルチポイントサービスの受信を続ける手段を含む。移動体端末は、第１と第２パラメータインジケータが同一でない場合に、第２無線プロトコルパラメータを受信する手段と、ポイントツーマルチポイントサービスを受信するために受信した第２無線プロトコルパラメータにしたがって無線プロトコルエンティティを設定する手段を更に含む。
【００２６】
本発明の前述した説明及び次の詳細な説明は特許請求範囲に開示された本発明の追加の理解を提供し、例示的であることに留意しなければならない。
【産業上の利用可能性】
【００２７】
本発明は、ＭＢＭＳサービスを提供する移動体通信システムに適用可能である。
【発明を実施するための最良の形態】
【００２８】
以下、参照に、本発明の好ましい実施形態で詳細に開示され、例として図面に図示される。図面で類似の構成要素は同一、または、類似の図面符号を用いて表示される。
【００２９】
特定のＲＮＣ内の特定のＭＢＭＳサービスのデータを伝送するための少なくとも一つのプロトコルエンティティは、特定のＲＮＣにより管理される複数のセルまたはノードＢにより共用される。少なくとも一つのプロトコルエンティティは、好ましくは、第２層の無線プロトコルエンティティであり、ＰＤＣＰ、ＲＬＣ、ＭＡＣそれぞれのサブ層を含む。好ましくは、それぞれのセルは特定のＭＢＭＳサービス用に個別の物理層を含み、同一に動作する物理層に対しては、ＲＮＣは好ましく同一パラメータ値をｌｕｂインターフェースを介して物理層に伝送する。さらに、コアネットワークから特定のＭＢＭＳサービスデータを受信した後、ＲＮＣはＭＢＭＳデータを少なくとも一つのプロトコルエンティティに伝送する。好ましくは、少なくとも一つのプロトコルエンティティは受信したＭＢＭＳデータをそれぞれの下位層プロトコルエンティティに伝送し、下位層が物理層（Ｌ１）である場合、ＲＮＣは好ましくｌｕｂインターフェースを介してＭＢＭＳデータをそれぞれのセル内の各物理層に伝送する。
【００３０】
図４Ａ及び４Ｂは、本発明の一実施形態に係る層２のプロトコルエンティティのうち、少なくとも一つを共用することにより特定のＭＢＭＳサービスを提供するＵＴＲＡＮのプロトコルエンティティを示している。本例において、ＭＴＣＨチャネルはＲＮＣが異なるＭＢＭＳサービスを提供するために論理チャネルとして使われている。言い換えると、データは３つのチャネルを介して伝送される。
【００３１】
図４ＡのＲＮＣに示すように、ＰＤＣＰ、ＲＬＣ、ＭＡＣのサブ層を含む第２層プロトコルエンティティは、特定のＭＢＭＳサービスをＲＮＣにより管理される複数のセルに提供するように構成される。図４Ａを参照すれば、ＵＴＲＡＮ側において、ＰＤＣＰとＲＬＣのエンティティが各サービスに対して個別に提供される。複数のセル（または、ノードＢ）の各々が一つのＰＤＣＰエンティティと一つのＲＬＣエンティティの使用を共用する。この場合、本例で、３つの異なるＰＤＣＰエンティティと３つの異なるＲＬＣエンティティが３つの異なるＭＢＭＳサービスを提供し、下位物理層により共用される。また、ＰＤＣＰエンティティのみが特定のＭＢＭＳサービスのために複数のセルにより共用されるようにすることも可能である。図４ＢはＰＤＣＰとＲＬＣプロトコルエンティティの全てが特定のＭＢＭＳサービスを移動体端末に提供するように共用されるネットワーク構成を図示する。一つのＰＤＣＰエンティティと一つのＲＬＣエンティティは無線アクセスネットワーク（ＲＡＮ）毎に一つの特定のＭＢＭＳに対して存在することが望ましい。他の例では、ＰＤＣＰとＲＬＣの全てを共用する代わりに、ＰＤＣＰまたはＲＬＣの一つのみを特定のＭＢＭＳサービスに共用させるようにすることもできる。
【００３２】
ＵＴＲＡＮ側において、一つのＭＡＣエンティティが複数のセル（ノードＢ）により使用される各種のＭＢＭＳサービスにより共用される。ＲＮＣ当り一つのＭＡＣエンティティ、特に一つのＭＡＣ−ｃ／ｓｈ／ｍサブ層があるのが好ましい。一つのＭＡＣエンティティは３つの異なるＭＢＭＳサービスを提供し、下位物理層により共用される。
【００３３】
図４Ａ及び４Ｂにおいて、端末Ａ及びＢとして図示されてＵＥは各々少なくとも２つの異なるセルまたはノードＢから特定のＭＢＭＳサービスを受信し、層２の無線プロトコルエンティティの中の一つ（例えば、図４ＡではＭＡＣサブ層、図４ＢではＰＤＣＰサブ層とＲＬＣサブ層）と、特定のＭＢＭＳサービスに対して同一の関連パラメータ値を共用する。言い換えると、異なるセルに位置しても、同一ＭＢＭＳサービスを受信するＵＥは同一プロトコルエンティティと同一関連パラメータ値を共用する。
【００３４】
複数のセルは特定のＭＢＭＳサービスのデータ伝送のためにプロトコルエンティティを共用する。その結果、プロトコルエンティティにより用意された論理チャネルは複数のセルによりまた共用される。さらに、論理、トランスポート、物理の各チャネルのセル共用パラメータ値がＭＢＭＳサービスのデータ伝送のために設定される。即ち、複数のセルは論理チャネル、トランスポートチャネル、物理チャネルの同一パラメータ値を有し、またプロトコルエンティティのプロトコルパラメータ値を共用する。したがって、セルは全て同一チャネルパラメータ値及び同一プロトコルパラメータ値を有する。さらに、関連したセルが同一プロトコルエンティティとプロトコルパラメータ値を共用するため、端末Ｂはソフト結合利得が得られ、２つ以上の異なるセルから特定のＭＢＭＳサービスを同時に受信することができる。
【００３５】
図５はｌｕｂ搬送ベアラーが本発明により共用される際、特定のＭＢＭＳサービスを提供するＵＴＲＡＮのプロトコルエンティティを図示する。  
【００３６】
図５を参照すれば、一つのノードＢの複数のセルが一つのｌｕｂ搬送ベアラーを共通で使用し、一つのプロトコルエンティティが共用され、一つのｌｕｂデータフレームが一つの伝送時間の間（ＴＴＩ）に、様々なセルに一度に伝送される。様々なセルがｌｕｂデータフレーム内に含まれた一つのＭＡＣプロトコルデータユニットを共用する。ノードＢは一つの共用されたｌｕｂ搬送ベアラーによってデータフレームを受信し、データフレームをノードＢにより管理される複数のセルに伝送するために、受信したデータフレームに含まれていたＭＡＣプロトコルデータユニットを複写する。
【００３７】
本発明の好ましい実施形態によれば、特定のＭＢＭＳサービスを受信しようとするＵＥは、例えば、複数のセルにより共用されるチャネルパラメータ値とプロトコルパラメータ値を用いて、特定のＭＢＭＳサービスのデータを受信するためのチャネル及びプロトコルエンティティを設定する。これらパラメータ値は以下で共通パラメータ値またはＣＰＶ情報として言及される。チャネルパラメータ値は特定のＭＢＭＳサービスのデータを伝送する時に使われる論理チャネルＭＴＣＨ、トランスポートチャネルＦＡＣＨ、物理チャネルＳ−ＣＣＰＣＨのパラメータ値を含む。プロトコルパラメータ値は特定のＭＢＭＳサービスのデータを伝送する時に使われるＰＤＣＰ、ＲＬＣ、ＭＡＣ、物理層のパラメータ値を含む。ＵＥはＭＢＭＳデータを受信するチャネルとプロトコルエンティティを設定するためにＣＰＶ情報を使用する。ＣＰＶ情報を共用する複数のセルのいずれか一つに移動するＵＥは論理チャネルとトランスポートチャネルだけでなくプロトコルエンティティの再構成無しに新たなセル内でデータを速く受信することができる。
【００３８】
ＵＴＲＡＮは特定のＭＢＭＳサービスを受信しようとするＵＥに、セル毎のＣＰＶ情報を識別するための上記したＣＰＶ識別子とＣＰＶ情報を伝送する。好ましくは、ＣＰＶ識別子はＭＢＭＳセルグループを固有に識別する。新たなセルのＣＰＶ識別子が以前のセルの識別子と同じであれば、同じＣＰＶ識別子を有するセルが同一のＣＰＶ情報を用いるので、新たなセルに移動しているＵＥは以前のセルのＣＰＶ情報を用いて新たなセル用チャネルとプロトコルエンティティを設定することができる。さらに、同一ＣＰＶ識別子を有するセルが同一ＣＰＶ情報を用いるので、ＵＥはハンドオーバーの間、ＭＢＭＳデータを受信する際、ソフト結合利得を達成することができる。
【００３９】
図６は、本発明の方法を採択するＵＥで特定のＭＢＭＳサービスを受信するプロセスを示す。ＵＥはＣＰＶ情報とＣＰＶ識別子を用いて動作する。
【００４０】
ステップＳ６０１において、ＵＥは最初のセルからＣＰＶ情報及びＣＰＶ識別子を受信し、これを格納して、その情報を用いて特定のＭＢＭＳサービスのデータを伝送するＭＢＭＳチャネルを設定する。ステップＳ６０２において、ＵＥは最初（すなわち、以前）のセルに位置している間、即ち、ステップＳ６０３により決定され、新たなセルに移動する時まで、設定されたＭＢＭＳチャネルを介してＭＢＭＳデータを受信する。ステップＳ６０４において、ＵＥが新たなセルに移動した後、ＵＥは新たなセルから伝送されたＣＰＶ識別子を受信して、受信された値を格納された値、即ちステップＳ６０５で以前セルのＣＰＶ識別子と比較する。
【００４１】
新しく受信されたＣＰＶ識別子（新たなセル）の値が格納されたＣＰＶ識別子（以前セル）の値と同じなら、ステップＳ６０６で、ＵＥは格納されたＣＰＶ情報を用いてＭＢＭＳデータを受信する。そうでなければ、ＵＥは、ステップＳ６０７で、新たなセルのＣＰＶ情報を受信し、新しく受信したＣＰＶ情報を以前セルの情報に代えて格納し、新たなセルにおいてＭＢＭＳチャネルを介してＭＢＭＳデータを受信する時に、その格納されたＣＰＶ情報を使用する。以前のセル及び新たなセルのＭＢＭＳチャネルを同時に受信することができるので、ＵＥはソフトハンドオーバーと類似の方式で２つのセルからＭＢＭＳチャネル上でソフト結合を実施する。
【００４２】
記録媒体に格納されたコンピュータ読取可能なプログラムにより本発明の方法を実施することができる。
【００４３】
これによって、本発明は同一のチャネルパラメータ値と同一のプロトコルパラメータ値を用いるために、異なるセルが第２層プロトコルエンティティを共用でき、したがって、ハンドオーバーの場合に、無線ベアラーの再設定による遅延を減少させ、ハンドオーバーの間のデータ損失を最小化し、ネットワークリソースを保存し、ソフト結合によって受信性能を強化することができる。
【００４４】
図７を参照すれば、本発明の移動体通信デバイス８００のブロックは、例えば本発明の方法を実施する携帯電話として示されている。移動体通信デバイス８００はマイクロプロセッサまたはデジタル信号プロセッサのようなプロセッシングユニット８１０、ＲＦモジュール８３５、電力管理モジュール８０５、アンテナ８４０、バッテリ８５５、ディスプレイ８１５、キーパッド８２０、フレッシュメモリ、ＲＯＭまたはＲＡＭのようなストーレージユニット８３０、スピーカ８４５、マイクロホン８５０を含む。
【００４５】
ユーザは例えばマイクロホン８５０を用いた音声によるか、キーパッド８２０のボタンを押すことにより電話番号のような指示情報を入力する。プロセッシングユニット８１０は電話番号ダイヤルリングのような適切な機能を実施するための指示情報を受信し、処理する。機能を実施するためにストレージユニット８３０から動作データが検索される。さらに、プロセッシングユニット８１０はユーザの参照と便宜のためにディスプレイ８１５上に指示させ、動作情報をディスプレイさせる。
【００４６】
プロセッシングユニット８１０は例えば音声通信データを含む無線信号を伝送することにより通信を開始するために、指示情報をＲＦ部８３５に発行する。ＲＦモジュール８３５は無線信号を送信し、受信するための送信器と受信器を含む。アンテナ８４０は無線信号の送信と受信を容易にする。無線信号の受信の際、ＲＦモジュール８３５はプロセッシングユニット８１０による処理用のベースバンド周波数でこの信号をフォワードし、変換する。処理された信号は例えばスピーカ８４５を通じて可聴な、または、読取可能な情報出力に変換される。
【００４７】
当業者には、例えばプロセッシングユニット８１０や他のデータまたはディジタルプロセッシングデバイスを単独でまたは外部支援ロジックと組合せて用いて移動体通信ディバイス８００を容易に実装できることは自明である。
【００４８】
本発明が移動体通信の観点で記述されているが、本発明は無線通信能力を備えたラップトップコンピュータやＰＤＡのような移動体デバイスを用いる任意の無線通信システムで使用することができる。さらに、本発明を記述するために所定の用語の使用はＵＭＴＳのような無線通信システムのあるタイプに本発明の範囲を制限してはならない。本発明は他のエアーインターフェース及び／または例えばＴＤＭＡ、ＣＤＭＡ、ＦＤＭＡ、ＷＣＤＭＡなどのような物理層を用いる他の無線通信システムにも適用可能である。
【００４９】
好ましい実施形態は、ソフトウェア、ファームウエア、ハードウェアまたはこれらの任意の組合せを生成するために、標準プログラミング及び／またはエンジニアリング技術を用いる方法、装置または製造物として具体化させることができる。用語“製造物”は、ハードウェアロジック（例えば、集積回路チップ、ＦＰＧＡ(field effect programmable gate array)、ＡＳＩＣ(application specific integrated circuit)等）、または、コンピュータ可読媒体（例えば、磁気ストレージ媒体（例えば、ハードディスクドライブ、フロッピー（登録商標）ディスク、テープ等）、光ストレージ（ＣＤ−ＲＯＭ、光ディスク等）、揮発性及び非揮発性メモリデバイス（例えば、ＥＥＰＲＯＭ、ＲＯＭ、ＰＲＯＭ、ＲＡＭ、ＤＲＡＭ、ＳＲＡＭ、ファームウエア、プログラム可能なロジック等）で具体化されたロジックまたはコードを意味する。
【００５０】
コンピュータ可読媒体内のコードはプロセッサによりアクセスされ、実行される。好ましい実施形態が実装されたコードは、伝送媒体を介して、または、ネットワークを介したファイルサーバーからアクセス可能である。この場合、コードが実装された製造物は、伝送媒体、例えばネットワーク伝送線、無線伝送線、大気を通じた信号電波、無線波、赤外線信号などを含む。勿論、当業者は本発明の範囲を外れずに、本発明に対する多数の修正を行うことができ、製造物が、知られた任意の情報含有媒体を含むということを容易に認識できるであろう。
【００５１】
図面に示された論理実装は特定の順序で起こる特定の動作を記述する。代案的な実装において、任意の論理動作は他の順序、修正または除去され暗示された本発明の好ましい実施形態として実施できる。さらに、前述したロジックに他のステップを加えることができ、それでも本発明の実施に一致する。
【００５２】
当業者には本発明に種種なる修正及び変形が行なわれることが自明である。したがって、本発明は特許請求範囲及びその均等物の範囲内で提供される本発明の修正及び変形をカバーすることができる。
【図面の簡単な説明】
【００５３】
【図１】無線通信システムの構造図である。
【図２】図１のＵＥとＵＴＲＡＮとの間の無線インターフェース  プロトコルアーキテクチャを示す図である。
【図３】従来の技術に係る特定のＭＢＭＳサービスを提供する、ＵＴＲＡＮのプロトコルエンティティを示すブロック図である。
【図４Ａ】本発明の他の実施形態に係る層２プロトコルエンティティを共用することにより特定のＭＢＭＳサービスを提供する、ＵＴＲＡＮのプロトコルエンティティを示すブロック図である。
【図４Ｂ】本発明の又他の実施形態に係る層２プロトコルエンティティを共用することにより特定のＭＢＭＳサービスを提供する、ＵＴＲＡＮのプロトコルエンティティを示すブロック図である。
【図５】本発明の他の実施形態に係るｌｕｂ搬送ベアラーを共用することにより特定のＭＢＭＳサービスを提供する、ＵＴＲＡＮのプロトコルエンティティを示すブロック図である。
【図６】本発明の好ましい実施形態に係る、ＵＥ（移動体端末）で特定のＭＢＭＳサービスを受信するフローチャートである。
【図７】本発明の一実施形態に係る、ネットワークからサービスを受信する移動体通信デバイスを示す図である。
【符号の説明】
【００５４】
８００  移動体通信デバイス、８０５  電力管理モジュール、８１０  プロセッシングユニット、８１５  ディスプレイ、８２０  キーパッド、８３０  ストーレージユニット、８３５  ＲＦモジュール、８４０  アンテナ、８４５  スピーカ、８５５  バッテリ、８５０  マイクロホン
【図１】
2007503155.tif 000003
【図２】
2007503155.tif 000004
【図３】
2007503155.tif 000005
【図４Ａ】
2007503155.tif 000006
【図４Ｂ】
2007503155.tif 000007
【図５】
2007503155.tif 000008
【図６】
2007503155.tif 000009
【図７】
2007503155.tif 000010
【国際調査報告】
2007503155.tif 000011
2007503155.tif 000012
2007503155.tif 000013
2007503155.tif 000014
2007503155.tif 000015